Podtech/llm-jp-corpus-v4-ja_patent huggingface dataset:
(57)【要約】      （修正有）【課題】指圧具が小さくて、軽く、携帯出来、何時でも、どこでも、手の届く範囲なら体のツボの経路に沿って、力を要せず、指圧により疲労回復、ぼけ防止になる事を、楽しみながら、効果を出す事を課題とした。【解決手段】手の平に乗る位の小さく軽いもので、多面体の各面の一面又は複数の面に,１又は複数の突起２を植設し、サイコロ型の六面を有する立方体１の表面に突起を設けた場合は、その表面に異なる１本〜６本の数の突起を植設してなるものであり、十四面を有する立方体３の表面に突起を設けた場合は、各表面に一本づつ突起を植設してなる指圧具であり、又はその指圧具の突起に、磁性を付与した指圧具である。  【選択図】図１
2006175146.tif 000002
【特許請求の範囲】
【請求項１】
多面体の各面の一面又は複数の面に,１又は複数の突起を植設してなる指圧具。
【請求項２】
請求項１記載の指圧具を、六面の立方体にして、各表面に異なる数の突起を植設してなる指圧具。
【請求項３】
請求項１記載の指圧具を一四面体の立方体にして、各表面に突起を一本づつ植設してなる指圧具。
【請求項４】
請求項１又は請求項２又は請求項３記載の指圧具の突起に、磁性を付与した指圧具。
【発明の詳細な説明】
【技術分野】
【０００１】
本発明は、多面を有する立方体の表面のそれぞれに、１本及び複数の突起を植設した携帯用の指圧具に関するものである。
【背景技術】
【０００２】
従来携帯用の指圧具は数多く出ているが、多くは一面に、複数の突起を植設して、形を変えて作ったものが多く、立方体に複数の突起を植設したものは少なく、手の平の中で何時でも何処でも指圧するには、不便であった。
【０００３】
【特許文献１】特開２００３−３３４２３２
【発明の開示】
【発明が解決しようとする課題】
【０００４】
指圧具が小さくて、軽く、携帯する事が出来、何時でも、どこでも、手の届く範囲なら体のツボの経路に沿って、力が要らず、指圧を楽しみながら効果を上げる事を、課題とした。
【課題を解決するための手段】
【０００５】
本発明はこの様な従来の構成が有していた問題を解決しようとするものであり、多面体の各面の一面又は複数の面に突起を植設し、六面立方体のそれぞれの表面に突起を設けた場合は、その表面に異なる１本〜６本の数の突起を植設した指圧具である。
【０００６】
１４面立方体の表面を有する指圧具は、各表面に一本づつ突起を植設した指圧具である。
【０００７】
より健康効果を高めるために、六面体、十四面体に設けた指圧具の突起に、磁性を付与した指圧具である。  
【発明の効果】
【０００８】
指圧具が小さく手の平に乗り、包める位の大きさで軽いので、テレビを見ながら、本を読みながら、立っていても、腰掛けていても、座っていても、寝ていても、歩いていても、僅かな時間で、頭の上から手の平、足裏から、足先までのツボの経路に沿って、ツボを指圧する事が出来、血行促進、疲労回復を行う事が出来る指圧具である。軽症の病人の場合も、指の運動不足により、指が固まらないように防止する事ができる。
【０００９】
携帯が出来、汽車や飛行機、乗り物の中等で、片手で握ったり、両手で押圧したり、両手の中で押圧しながらころころ回したり、遊び感覚で楽しみながら指圧する事により、肉体的疲労を取り、指先を使う事によりぼけ防止の予防になる。
【００１０】
手の届く範囲なら全身のツボの経路に沿って、力が要らず、指圧する事が出来、十四面体の指圧具の場合は、両手の中で押圧しながら、転がすように回していくと、突起が手の平全体にあたり、血行が良くなり、指先に刺激を受ける事により、ぼけ防止の予防になり、心地よい刺激を楽しみつつ、血流を良くし、筋肉をリラックスさせ、疲れを和らげる効果を上げる事が出来る。六面体指圧具の場合も同じ効果を得られる。
【００１１】
デザインとしても、形状が美しく、室内装飾として飾っても良い。
【発明を実施するための最良の形態】
【００１２】
実施例に、この指圧具を例示した図で説明する。図１は、六面立方体１のサイコロ型指圧具の斜視図であり、サイコロの采の目の位置に、１本〜６本の数の突起２を設ける。六面立方体１の１面づつに、植設してなる突起２の、植設の場所と、突起本数の順序は、こだわらない。（突起の数が1本〜６本でなくても、  請求項１に含まれる）
【００１３】
図２は、十四面立方体指圧具の斜視図であり、四角３が六面を有し、四角３のそれぞれの辺に接触する三角５が八面を有し、計十四面体の立体指圧具である。その各面ごとに突起２を一個づつ植設してなる１４面立方体の指圧具である。
【００１４】
六面体、一四面体の突起は、それぞれ先端部が丸みを帯びた突起２で、体との接触面に程良い痛みを感じる位の突起が望ましい。長さは、０．５〜２センチ位までの長さが好ましく、実施例の場合は、１．２センチ位の長さにしている。１本の突起の場合は、ツボの位置が一点ではっきり解る位置の場合に使用し、２本〜６本の突起の異なる数の違いは、ツボの周辺の広さに応じて突起の面を回転させながら対応させ、ツボを押圧していくためである。
【００１５】
六面体も１４面体も、表面に植設する突起２に、磁性を付加える事により、血流を良くし、筋肉をリラックスさせ、疲れを軽減させ、健康効果を上げぼけ防止の予防につなげる事ができる。
【００１６】
指圧具は、木材、合成樹脂、合成ゴム、金属等が望ましい。
【００１７】
突起は、竹、木材、磁石、金属、合成ゴム、合成樹脂等の、折れにくく、堅いもので
先端部が丸みを帯びた山形突起に加工出来るものが望ましい。
【００１８】
木材の場合は、汚れを付着しないように、全体をニス等で皮膜すると良い。
【００１９】
六面の立方体指圧具も、一四面の立方体指圧具も、立方体の一部に、持ち運びや落とさないために、又使用時に、腕や指に掛けて使用するために、本体の一部に紐を装着する穴を設け、紐6を通す。使用しない時は、引っかけ部に掛けておく。
【００２０】
六面体も十四面体も突起の形状を各面で変える事もよい。例えば、突起の先を丸くしたり,各面で長さを変えたり,落としても判るように，１又は数本に蛍光塗料を付加したり,着色する事も自由であるが,木材は、人の肌にやさしく馴染みやすい。
【００２１】
アクセサリーとして指圧具を、バッグに携帯するために紐を利用するとよい。
【図面の簡単な説明】
【００２２】
【図１】六面立方体の指圧具の斜視図
【図２】一四面立方体の指圧具の斜視図
【符号の説明】
【００２３】
１  六面立方体本体
２  突起
３  十四面立方体本体
４  四角形
５  三角形  
６  紐
【図１】
2006175146.tif 000003
【図２】
2006175146.tif 000004
(57)【要約】      （修正有）【課題】  自然水Ｈ２Ｏを人工的に重水Ｄ２Ｏに変えること。【解決手段】  カ−バッテリ−に反ミュ−ニュ−トリノを当て、中の硫酸Ｈ２ＳＯ４を重水型のＤ２ＳＯ４に変え、放電により重水Ｄ２Ｏを生成する。即ち、反ミュ−ニュ−トリノνμ＊と水素イオンＨ＋の反応、    νμ＊＋Ｈ＋⇒μ＋＋ｎである。ここにμ＋は正ミュ−オン、ｎは中性子である。次に水素イオン流の中で、Ｈ＋＋ｎ⇒Ｄ＋。ここにＤ＋は重水素イオンである。    Ｐｂ＋ＰｂＯ２＋２Ｄ２ＳＯ４⇒２ＰｂＳＯ４＋２Ｄ２Ｏ【選択図】  図１
2006175418.tif 000002
【特許請求の範囲】
【請求項１】
反ニュ−トリノを電池または電気分解装置に当てて重水をつくる方法。
【発明の詳細な説明】
重水Ｄ２Ｏは自然水の中に１／５０００程度しかなく、電気分解等でつくる高濃度の重水は極めて高価になり、１ｃｃ（〜１ｇ）で５００円程度にもなる。
用途としては、原子炉の減速材で年５ｔ、また、カナダのニュ−トリノ検出装置ＳＮＯでは１０００ｔ使用している代表例もある。その他トレ−サ−等多くの例がある。将来、核融合炉の燃料（重水素として）となることはよく知られている。それ故重水の人工的製法は画期的なことである。
しかしながら現在までの科学では、物理も含めて全く絶望的である。そこで敢えて最先端の素粒子物理の弱い相互作用のニュ−トリノに注目した。
即ち、反ミュ−ニュ−トリノνμ＊と水素イオンＨ＋の反応、
νμ＊＋Ｈ＋⇒μ＋＋ｎ
である。ここにμ＋は正ミュ−オン、ｎは中性子である。次に水素イオン流の中で、    Ｈ＋＋ｎ⇒Ｄ＋  に期待する。ここにＤ＋は  重水素イオンである。
例えば以上の反応がカ−バッテリ−にνμ＊を当てて起きるとすれば、
Ｐｂ＋ＰｂＯ２＋２Ｄ２ＳＯ４⇒２ＰｂＳＯ４＋２Ｄ２Ｏ
ここに、Ｐｂは鉛、ＰｂＯ２は二酸化鉛、Ｄ２ＳＯ４は重水の硫酸、ＰｂＳＯ４は硫酸鉛である。Ｄ２Ｏは期待の重水である。
さて現在の素粒子論ではニュ−トリノは弱い相互作用のため１ＭｅＶで１０−４１ｃｍ２程度の断面積であり、上の現象は全く期待できない。しかし、実験的に追求する必要があると著者は考え、いろいろな実験条件を設定した。
結果として、ある条件の下では反ミュ−ニュ−トリノは極めて強い相互作用を示し、上の予想通りカ−バッテリ−の中に１００％近い重水が生じた。ニュ−トリノの理論が全て正しくない証拠でもある。
かくて、自然水の中に１／５０００程度しかない重水が人工的に生成できるようになった。これは物理学上、応用上極めて重要な発見、発明である。
その装置の組織図の概略を図面に示した。
【図面の簡単な説明】［図１］反ミュ−ニュ−トリノ発生装置とカ−バッテリ−の配置図
【符号の説明】
［図１］図面参照
【図１】
2006175418.tif 000003
(57)【要約】【課題】  中高炭素鋼をステンレスに溶接した後、ビードに割れを発生させないこと。【解決手段】  炭素を遊離させる方式により中高炭素鋼の表面を脱炭して、電子ビーム溶接方法により中高炭素鋼をステンレスに溶接し、溶接箇所でマルテンサイト組織を発生させないで中高炭素鋼とステンレスを溶接する。【選択図】図１
2006175467.tif 000002
【特許請求の範囲】
【請求項１】
炭素を遊離させる方式により中高炭素鋼の表面を脱炭して、
電子ビーム溶接方法により中高炭素鋼をステンレスに溶接し、
溶接箇所ではマルテンサイト組織が発生しないことを特徴とする、
中高炭素鋼とステンレスの溶接方法。
【発明の詳細な説明】
【技術分野】
【０００１】
本発明は中高炭素鋼とステンレスの溶接方法に係り、特にまず中高炭素鋼の表面を脱炭して、電子ビーム溶接技術により中高炭素鋼をステンレスに溶接し、溶接箇所ではマルテンサイト組織が発生しないことにより、ビードには割れが発生しない中高炭素鋼とステンレスの溶接方法に関するものである。
【背景技術】
【０００２】
ステンレスは優れた耐食性を有し、その主要な金属成分がクロムであり、クロムはステンレスが腐食しない主な成分である。典型的なステンレスに含有する他の主な金属成分はニッケル又はモリブデンなどである。延性および成形性を向上するために、殆んどのステンレスにはニッケルが添加された。
【０００３】
金相組織によって分類すると、ステンレスは、マルテンサイト系と、フェライト系と、オーステンアイト系とに分けられる。また、鉄鋼は炭素含有量によって、低炭素鋼と、中炭素鋼と、高炭素鋼とに分けられる。
【０００４】
溶接は、ガス溶接と、アーク溶接と、抵抗溶接となどに分けられるが、電子ビーム溶接は、高速で集中する電子をワークに衝撃することにより、鋼材を溶融して接合する方法である。目下、中高炭素鋼とステンレスの溶接方法には、電子ビーム溶接法が採用されておらず、それは中高炭素鋼の炭素含有量がより高く、且つ電子ビーム溶接技術が真空状態で急速に加熱して冷却する作用があるので、電子ビーム溶接装置により中高炭素鋼とステンレスを溶接するときにはマルテンサイト組織が発生する。マルテンサイト組織により、ビードには硬さが高くて応力集中現象が発生し、そのためにビードに割れが発生する。
【０００５】
図５に示すのは、一般の鋼材が溶接された後の製品の硬さ、残留応力と割れの関係図である。図５から明らかなように、鋼材の炭素含有量が高いほど、溶接した後の割れの危険性が高い。逆に、鋼材の炭素含有量が低いほど、溶接した後の割れの危険性が低い。
【発明の開示】
【発明が解決しようとする課題】
【０００６】
本発明の主な目的は、ビードには割れが発生しない中高炭素鋼とステンレスの溶接方法を提供する。
【課題を解決するための手段】
【０００７】
上記目的を達成するためになされた本願の発明は、炭素を遊離させる方式により中高炭素鋼の表面を脱炭して、電子ビーム溶接方法により中高炭素鋼をステンレスに溶接し、溶接箇所ではマルテンサイト組織が発生しないことを特徴とする中高炭素鋼とステンレスの溶接方法であることを要旨としている。
【発明の効果】
【０００８】
本発明に係る中高炭素鋼とステンレスの溶接方法によれば、中高炭素鋼をステンレスに溶接した後、ビードには割れが発生しない。
【発明を実施するための最良の形態】
【０００９】
以下、添付図面を参照して本発明の好適な実施の形態を詳細に説明する。
【００１０】
まず、図１を参照する。図１は本発明に係るプロセスのフローチャートであり、それは、炭素を遊離させる方式により中高炭素鋼の表面を脱炭して、電子ビーム溶接方法により中高炭素鋼をステンレスに溶接する方法である。
【００１１】
また、炭素を遊離させる方式は、特定な雰囲気のなかで中高炭素鋼を加熱する方法であり、上記雰囲気は、酸化性ガスでもよいし、還元性ガスでもよいし、還元性ガスと酸化性ガスの混合ガスなどでもよい。また、酸化性ガスはエヤや水蒸気や二酸化炭素などであり、還元性ガスは水素ガスである。
【００１２】
中高炭素鋼の炭素含有量がより高いので、加熱されるときに、表面の鉄が酸化されるとともに、鋼材に含有する炭素も作用し、これにより、表面層にある炭素が減少して脱炭になる。すなわち、中高炭素鋼の周囲の酸素ガスが鋼材の内部に侵入して炭素を酸化させ、又は、中高炭素鋼に含有する炭素が表面まで拡散して雰囲気と作用して酸化炭素や二酸化炭素やメタンになって外部に排出することにより脱炭になる。また、酸化皮膜と脱炭は温度の上昇および時間の経過に従って成長し、かなりの厚さまで成長する。図２に示すのは、本発明に係る中高炭素鋼は酸化皮膜が発生し脱炭になる時の概略図であり、（ａ）は酸化された中高炭素鋼の断面図であり、中高炭素鋼の表面には酸化皮膜１が発生し、前記酸化皮膜１のベースには少量の酸素が溶解される。中高炭素鋼の炭素２の濃度は、ベースから表面まで徐々に減少し、酸化皮膜１と接触するベースには炭素２を殆んど含有しない。また、（ｂ）は中高炭素鋼のベースに各深さでの炭素含有量を示す概略図である。
【００１３】
また、図３に示すのは、脱炭になる前の中高炭素鋼の金相組織図である。図４に示すのは、脱炭になった後の中高炭素鋼の金相組織図である。図３と図４を参照すると、脱炭する前後の炭素含有量の差別を理解できる。
【００１４】
炭素を遊離させる方式により中高炭素鋼の表面を脱炭して、電子ビーム溶接方法により中高炭素鋼をステンレスに溶接し、これにより、電子ビーム溶接方法による急速な加熱および冷却をしても、溶接箇所ではマルテンサイト組織が発生しないので、ビードには割れが発生しない。
【図面の簡単な説明】
【００１５】
【図１】本発明に係るプロセスのフローチャートである。
【図２】本発明に係る中高炭素鋼は酸化皮膜が発生し脱炭になる時の概略図であり、（ａ）は酸化された中高炭素鋼の断面図であり、（ｂ）は中高炭素鋼のベースに各深さでの炭素含有量を示す概略図である。
【図３】脱炭になる前の中高炭素鋼の金相組織図である。
【図４】脱炭になった後の中高炭素鋼の金相組織図である。
【図５】一般の鋼材が溶接された後の製品の硬さ、残留応力と割れの関係図である。
【符号の説明】
【００１６】
１        酸化皮膜
２        炭素
【図１】
2006175467.tif 000003
【図２】
2006175467.tif 000004
【図５】
2006175467.tif 000005
【図３】
2006175467.tif 000006
【図４】
2006175467.tif 000007
(57)【要約】【課題】  基材となる微粒子合成だけではなく、その後の処理工程をも並行して行える機能を備えた微粒子製造装置を提供する。【解決手段】  微粒子製造原料を流通させる微小な流通空間に原料を流通させて微粒子を製造する装置であって、原料投入ポートと、合成流路と、合成物排出ポートとを備えた第一の反応チップと、合成物排出ポートから排出された合成物に対して修飾処理を施す処理流路を備えた修飾チップとを備える。【特許請求の範囲】
【請求項１】
微粒子製造原料を流通させる微小な流通空間に原料を流通させて微粒子を製造する装置であって、原料投入ポートと、合成流路と、合成物排出ポートとを備えた第一の反応チップと、合成物排出ポートから排出された合成物に対して修飾処理を施す処理流路を備えた修飾チップとを備えた微粒子製造装置。
【請求項２】
更に、前記合成物を洗浄し、乾燥させる処理を行う中間処理チップを具備する請求項１に記載の微粒子製造装置。
【発明の詳細な説明】
【技術分野】
【０００１】
本発明は、ナノ粒子を製造する微粒子製造装置に関する。
【背景技術】
【０００２】
昨今、ナノサイズの大きさのナノ粒子を、半導体領域、医療領域、バイオ領域へ適用することが脚光を浴びている。たとえば、半導体領域では、テレビ、プラズマテレビなどに利用される蛍光体への利用、医療領域では、生体吸収性の材料からなるナノ粒子を細胞の微小な足場として利用、バイオ領域では、金ナノ粒子の光学的特性を利用してメタボライトを検出することへの利用などがある。
【０００３】
このようなナノ粒子の合成を微小な空間内でひいては一つのチップ上にて実現しようとするマイクロリアクタがある。マイクロリアクタは、微小空間内で合成を行うことから、温度制御が正確に行えること、並列処理により大量合成が可能（従来一般のスケールアップ時の合成手法の適切化が容易となる）であることなどの特徴があるとされる。ここで、ナノ粒子といっても金属や、酸化金属等の無機系材料からなるもの、ポリマー材料からなる有機系材料からなるものがあり、その上、その形状も、球状、ロッド状、多孔状、多層構造のものなどの様々なものがある。このように幅広い形態に適合するナノ粒子を適切に合成するには、反応条件の制御が幅広い条件に対応した装置が実現されることが重要である。
【特許文献１】特開２００４-２４３３０８号公報
【発明の開示】
【発明が解決しようとする課題】
【０００４】
ここで、ナノ粒子を製造する工程において、様々な後処理工程が必要となる。たとえば、液体クロマトなどの充填剤への適用等を考慮した場合には、合成されるシリカナノ粒子の表面を様々な被覆剤でコーティング処理を施す必要がある。また、コーティングの前段階として、シリカナノ粒子のシラノール濃度を制御するために、酸で洗浄し、乾燥処理を施す必要が一般にある。
【０００５】
本発明は、上記課題を鑑みてなされた発明であって、基材となる微粒子合成だけではなく、その後の処理工程をも並行して行える機能を備えた微粒子製造装置を提供することを目的としている。
【課題を解決するための手段】
【０００６】
該目的を達成するために、本発明は、
（１）  微粒子製造原料を流通させる微小な流通空間に原料を流通させて微粒子を製造する装置であって、原料投入ポートと、合成流路と、合成物排出ポートとを備えた第一の反応チップと、合成物排出ポートから排出された合成物に対して修飾処理を施す処理流路を備えた修飾チップとを備えた微粒子製造装置。
（２）更に、前記合成物を洗浄し、乾燥させる処理を行う中間処理チップを具備する（１）に記載の微粒子製造装置。
である。
【発明の効果】
【０００７】
上記構造を備えることにより、基材となる微粒子合成だけではなく、その後の処理工程をも並行して行える機能を備えた微粒子製造装置が提供される。たとえば、合成されるシリカナノ粒子の表面を様々な被覆剤でコーティング処理を施す場合、コーティングの前段階として、シリカナノ粒子のシラノール濃度を制御するために、酸で洗浄し、乾燥処理を施すことができ、その後、コーティング処理も並行して実施することができる。
【発明を実施するための最良の形態】
【０００８】
以下に、本発明の一実施形態を説明するが、本発明は、下記に限定されるものではないことは言うまでもない。
本微粒子製造装置は、複数の原料投入ポートと、投入された原料を一空間内で合流させて反応を行う反応空間と、該反応空間から反応液・反応生成物を取り出す取り出しポートとを備えた、第一のチップと、第一のチップと連通された前記反応液・反応生成物を投入するポートと、洗浄する空間と、洗浄したものに温度を付加して乾燥させる空間と、乾燥粉体を取り出すポートとを備えた第二のチップと、前記粉体を溶剤中乃至気相中でコーティング反応を施す反応空間を備えた第三のチップとを備えている。
【０００９】
合成するナノ粒子は、貴金属ナノ粒子、金属ナノ粒子、金属酸化物ナノ粒子など様々のものに適用することができる。洗浄処理としては、水洗浄、酸洗浄、アルカリ洗浄が上げられる。コーティング処理は、ポリマーコート、金属酸化物コート、金属コートなど挙げられる。例を挙げると、シリカナノ粒子を合成し、これを酸で洗浄後、乾燥処理をし、有機珪素反応剤でコーティングすることが例として挙げられる。
【産業上の利用可能性】
【００１０】
本発明にかかる微粒子製造装置は、半導体領域、医療領域、バイオ領域などに適用できる。
(57)【要約】【課題】  容器の内部に固着した固形物であって、その示差熱の吸熱ピークが１００〜２５０℃に存在する固形物の除去方法において、後処理を必要とせず、かつ経済的に実施できるという優れた効果を有する固形物の除去方法を提供する。【解決手段】  容器の内部に固着した固形物であって、その示差熱の吸熱ピークが１００〜２５０℃に存在する固形物の除去方法において、固着部分を加熱して固形物を取り除く固形物の除去方法。プロピレンと有機過酸化物を反応させ、プロピレンオキサイドを得る工程を含むプロピレンオキサイドの製造工程において用いられる少なくとも１つの容器内部に固着したホルムアルデヒドの重合物を含む固形物に最適に適用できる。【選択図】      なし【特許請求の範囲】
【請求項１】
容器の内部に固着した固形物であって、その示差熱の吸熱ピークが１００〜２５０℃に存在する固形物の除去方法において、固着部分を加熱して固形物を取り除く固形物の除去方法。
【請求項２】
固形物がホルムアルデヒドの重合物を含む請求項１記載の固形物の除去方法。
【請求項３】
加熱源として水蒸気を用いる請求項１記載の固形物の除去方法。
【請求項４】
容器の外部から水蒸気を用いて固形物を加熱する請求項１記載の固形物の除去方法。
【請求項５】
プロピレンと有機過酸化物を反応させ、プロピレンオキサイドを得る工程を含むプロピレンオキサイドの製造工程において用いられる少なくとも１つの容器内部に固着した固形物を除去する請求項１〜４のうちの一の請求項に記載の固形物の除去方法。
【発明の詳細な説明】
【技術分野】
【０００１】
本発明は、固形物の除去方法に関するものである。更に詳しくは、本発明は、容器の内部に固着した固形物であって、その示差熱の吸熱ピークが１００〜２５０℃に存在する固形物の除去方法において、後処理を必要とせず、かつ経済的に実施できるという優れた効果を有する固形物の除去方法に関するものである。
【背景技術】
【０００２】
たとえば化学プラント等においては、各種容器内に不要の固形物が発生し、該固形物を除去する必要が発生する。この場合、固形物を溶媒に溶解させて除去する方法が知られている（たとえば、特許文献１参照。）。しかしながら、この方法によると、用いた溶媒を除去する後処理を必要とし、また溶媒に伴うコストが発生して不経済であるという問題がある。
【０００３】
【特許文献１】特開２００４―０７４０３２号公報
【発明の開示】
【発明が解決しようとする課題】
【０００４】
かかる状況において、本発明が解決しようとする課題は、容器の内部に固着した固形物であって、その示差熱の吸熱ピークが１００〜２５０℃に存在する固形物の除去方法において、後処理を必要とせず、かつ経済的に実施できるという優れた効果を有する固形物の除去方法を提供する点にある。
【課題を解決するための手段】
【０００５】
すなわち、本発明は、容器の内部に固着した固形物であって、その示差熱の吸熱ピークが１００〜２５０℃に存在する固形物の除去方法において、固着部分を加熱して固形物を取り除く固形物の除去方法に係るものである。
【発明の効果】
【０００６】
本発明により、容器の内部に固着した固形物であって、その示差熱の吸熱ピークが１００〜２５０℃に存在する固形物の除去方法において、後処理を必要とせず、かつ経済的に実施できるという優れた効果を有する固形物の除去方法を提供することができる。
【発明を実施するための最良の形態】
【０００７】
本発明における容器には、蒸留塔、貯槽、配管等を含む。
【０００８】
固形物の示差熱の吸熱ピークは１００〜２５０℃に存在する。
【０００９】
固形物の例として、ホルムアルデヒドの重合物をあげることができる。ホルムアルデヒドの重合物は、プロピレンと有機過酸化物を反応させ、プロピレンオキサイドを得る工程を含むプロピレンオキサイドの製造工程において用いられる少なくとも１つの容器内部に固着した固形物をあげることができる。
【００１０】
本発明においては、容器に固着した固着物の固着部分を加熱して固形物を取り除く。加熱源として水蒸気をあげることができる。水蒸気による加熱方法としては、容器内部に直接水蒸気を導入し固形物を加熱する方法や、容器外部から水蒸気を用いて固形物を加熱する方法が挙げられる。容器内部に直接水蒸気を導入し固形物を加熱する方法では、固形物を除去した後、容器内部で凝縮した水の処理が必要となるが、容器使用時において水の混入による弊害がない、例えば油水の分離を行う貯層の場合には、後処理は凝縮水の除去のみであり、簡便に行うことができる。また、容器の外部から水蒸気を用いて固形物を加熱する方法を用いた場合、容器内の洗浄等の後処理を必要としない。
【００１１】
本発明によると、溶媒を用いることがないので、溶媒を除去する後処理を必要とせず、また溶媒に伴うコストが発生して不経済であるという問題を解消することができる。
【実施例】
【００１２】
次に本発明を実施例により説明する。
実施例１
１７７．７℃に示差熱の吸熱ピークを有する、ホルムアルデヒドを含む固形物（プロピレンと有機過酸化物を反応させ、プロピレンオキサイドを得る工程を含むプロピレンオキサイドの製造工程において用いられる少なくとも１つの容器内部に固着した固形物）１３ｍｇに対し、窒素雰囲気下、常温（２６℃）から、５．０℃／分の速度で温度を上昇させた。このときの固形物の重量を測定したところ、表１のような結果を得た。
【００１３】
【表１】
2006175396.tif 000002
(57)【要約】【課題】  本発明は、天然ラジウム鉱石の放射線を入浴者に立体的に与えようとするもので、詳しくは、入浴者が湯に沈む面に放射線を与え、湯から出ている面に放射線によるラドンガスやマイナスイオンを与えるとともに、湯水の対流を利用して装置内を通過させ殺菌しようとするものである。【解決手段】  通水孔を設けた底盤と天盤間に、周枠のみから成る中間盤を複数枚、内部に充填される天然ラジウム鉱石の破砕鉱石の流出を防ぐ間隔をとって積層し、全体を緊結して立体的積層体とし、内部に天然ラジウム鉱石破砕鉱石を充填したものを浴槽内に沈め或いはサウナぶろ内に置くものである。【選択図】  図１
2006175020.tif 000002
【特許請求の範囲】
【請求項１】
通孔を設けた底盤と天盤間に、周枠から成る中間盤を複数枚、内部に充填した天然ラジウム鉱石の破砕鉱石を流出させない上下間隔をとって積層状に接続緊締して成り、天然ラジウム鉱石を充填して浴槽に沈設し或いはサウナぶろ内に置き使用することを特徴とする放射線湯治装置。
【発明の詳細な説明】
【技術分野】
【０００１】
本発明は、主として業務用の浴場の浴槽内やサウナぶろ内に設置して放射線のホルミシス効果を入浴者に与える放射線による装置にかかわる。
【背景技術】
【０００２】
従来から放射線を入浴中に与えて健康増進或いは治療効果を得ようと試みられている。その先行技術例をあげると、登録実用新案第３１０４０５０号（特許文献１）は岩盤浴装置であるが、使用者は箱内に閉じ込められるため閉塞感を受けて解放感すなわち温泉気分を得られない。登録実用新案第３１０２００６号（特許文献２）は浴槽に加設するもので浴槽と一体とするための後付け工事が必要である。特開２００４−１１３７０７（特許文献３）は磁石を埋設したマットにかかわるが、マットは平面的な形状であるから、磁力線を使用者に立体的に与えることができない。
【特許文献１】実用新案第３１０４０５０号
【特許文献２】実用新案第３１０２００６号
【特許文献３】特開２００４−１１３７０７
【発明の開示】
【発明が解決しようとする課題】
【０００３】
本発明は上記を鑑みて、入浴者に放射線を立体的に与え、すなわち入浴者が湯に浸る面に放射線を与えるとともに、浸らない面には放射線によるラドンガスやマイナスイオンを与え、さらには本発明装置から360°にわたり放射線を放射させることにより同時入浴中の多数者に同時に放射線によるホルミシス効果を受けられるようにし、さらにまた、装置内に湯水を通過させることにより湯水の殺菌効果をあげようとするものである。
【課題を解決するための手段】
【０００４】
本発明は上記課題を解決するため、通水孔を設けた底盤と天盤間に、周枠のみから成る中間盤を複数枚上下間隔をとって積層状に接続して成る装置本体内に、天然ラジウム鉱石の破砕鉱石を充填にて成る装置を、湯水をはった浴槽に沈設或いはサウナぶろ内に設置することによりその目的を達成する。
【発明の効果】
【０００５】
本発明によれば、放射線を装置の縦長軸に対し交叉して360°の方向に、すなわち、湯の全層に放射すること、天然ラジウム鉱石の破砕鉱石は表面積が大になっておりこれに対流する湯水が通過するので湯水の殺菌効果があること、湯気によってラドンガス及びマイナスイオンが発生することによりホルミシス効果を開放的な温泉気分のもとで与えることができる。
【発明を実施するための最良の形態】
【０００６】
装置本体の形状は円筒体状以外に角筒体や多角筒体があるが放射線放射を360°にするための効率は円筒体が良く、また入浴者が接しても傷つけることがない。周枠から成る中間盤の上下間隔は内部に充填される天然ラジウム鉱石の破砕された鉱石の流出を防止する。装置本体の材質は放射線を阻止する物質鉛を含有するもの例えば鉛入りガラスは使用しない。
【実施例】
【０００７】
本発明の装置本体ａは、天盤１と複数枚の輪状の中間盤２と底盤３とを円筒体状に組合わせる接続具とから成っている。その各部分を説明すると、天盤１は直径50cmの笠状の円盤で多数の通孔４を穿設し周縁に図２に示す連結軸５の挿通孔６を穿設して成っている。中間盤２は天盤１と同一外径の輪状盤で周縁に連結軸５の挿通孔６を穿設して成っている。底盤３は天盤１と同一外径で天盤１の通孔４と仝様の通孔（図示せず。）を穿設し周縁に連結軸5の挿通孔6を挿通して成っている。
【０００８】
天盤１と中間盤２と底盤３とを組合わせる接続具は、組立て円筒状体の高さが90cmとすると、それと同長程度の長さで一端に挿通孔６より大なる天部をもち、他端部にネジを刻設した連結軸５と、同軸５のネジにネジ合うナット７と、上下の中間盤２間の間隔を保持するために連結軸５に外嵌するカラー８とから成っている。
【０００９】
上記組合わせの一例を説明すると、底盤３の挿通孔６に連結軸５を挿入し、底盤３の底面に連結軸５の一端の前記天部を定着させてから底盤３を平面に置き連結軸５を建てた状態とする。
次に、各連結軸５にカラー８を外嵌し中間盤２をその挿通孔６を連結軸５に挿通してのせる。これを繰り返すことにより図１に示すようにカラー８による９層の組立てができる。
【００１０】
カラー８の高さは、内部に投入される天然ラジウム鉱原石の破砕鉱石９の大きさにより選択され同鉱石９の流失を防ぐ高さが選択される。図１の９層とした場合には装置本体ａの高さは天盤１を含めて90cmである。
【００１１】
最上層の中間盤２の積載後、内部に破砕鉱石１０を充填し、天盤１を、挿通孔６に挿通した連結軸５の上端にネジ合わせたナット７を締めることにより定着させるとともに装置本体ａを緊締する。
このようにした装置本体ａを浴槽内或いはサウナぶろ内に置き使用させる。
【００１２】
上記実施例の連結軸５とカラー８とによる組立て緊締手段は、これに限定するものでなく一般的手段が採用される。
【産業上の利用可能性】
【００１３】
ラジウム及びラドン湯治具として特に業務用に好適なものである。
【図面の簡単な説明】
【００１４】
【図１】本発明湯治装置の斜視図。
【図２】本発明湯治装置の組立て方法の説明図。
【符号の説明】
【００１５】
ａ：装置本体
１：天盤
２：中間盤
３：底盤
４：通孔
５：連結軸
６：挿通孔
７：ナット
８：カラー
９：破砕鉱石
【図１】
2006175020.tif 000003
【図２】
2006175020.tif 000004
(57)【要約】      （修正有）【課題】ゴルフクラブヘッドの前部と後部の重量配分を変化させる工夫。【解決手段】ゴルフクラブヘッドの内部若しくは外部にボールベアリングが前部と後部に移動できる筒を設けて、ゴルフクラブヘッドの前部と後部の重量配分を変化させる。【選択図】図１
2006175222.tif 000002
【特許請求の範囲】
【請求項１】
ゴルフクラブヘッドの内部若しくは外部にボールベアリングが前部と後部に移動できる筒を設けて、ゴルフクラブヘッドの前部と後部の重量配分を変化させる。
【発明の詳細な説明】
【発明の詳細な説明】
【技術分野】
【０００１】  本発明は、クラブヘッドの前部と後部の重量配分を変化させて、振り上げ時と振り下げ時のクラブヘッドが移動する軌道を安定させる工夫である。
【背景技術】
【０００２】  クラブヘッドに取り付けられたシャフトの位置に対して、クラブヘッドの前部と後部の重量配分は、振り上げ時と振り下げ時の方向と軌道を決定する際に極めて重要である。【０００３】  しかし、従来のゴルフクラブは、シャフトの取り付け位置とクラブヘッドの重量配分が固定されているので、振り上げ時と振り下げ時の異なった動作に対応できず、不安定要素の一因として影響する。
【発明が解決しようとする課題】
【０００４】  ゴルフクラブの振り上げ時と振り下げ時において、シャフトの取り付け位置を変化させることは構造上困難なので、クラブヘッドの前部と後部の重量配分を変化させれば問題は解決される。
【０００５】  つまり、クラブシャフトの取り付け位置に対するクラブヘッドの前後の重量配分が振り上げ時と振り下げ時において変化する構造であれば良いことになる。
【課題を解決するための手段】
【０００６】  その方法の一つとしてとして、クラブヘッドの外形は変えずにクラブヘッドの内部でその重量配分を変化させる構造にすれば良いことになる。
【発明を実施するための最良の形態】
【０００７】  その形状は、クラブヘッドにボールベアリングが前部と後部に移動できる筒を設ければ良く、［図１］が一般的な構造となります。【０００８】  更に、ボールベアリングが移動する筒の任意の場所に少量のオイルを注入する穴を設ければ、内部のボールベアリングがスムーズに動く様になります。【０００９】  長い間使用する為の耐久性を考慮して、摩耗や抵抗の少ない部材を使用することも制作の要件になります。
【実施例】
【００１０】  ゴルフクラブの振り上げ時と振り下げ時の慣性に因り、クラブヘッド内部のボールベアリングが移動して、重たい部分が移動方向に対して常に後方に変化するので、シャフトでクラブヘッドを押すのではなく、引く状態でクラブヘッドが軌道を描くことになります。
【発明の効果】
【００１１】  その結果、振り上げ時と振り下げ時の両方において、クラブヘッドの軌道が常に安定する様になります。
【００１２】  特に、ヘッドの形状が大きいドライバー等において、振り上げ時のクラブヘッドの安定性が改善され、その効果が顕著に現れます。
【００１３】  更にクラブヘッド前部がゴルフボールに当たった瞬間にボールベアリングが後部から前部へ移動するのでボールをしっかり捉えることができる様になります。
【図面の簡単な説明】
【図１】透視図
【符号の説明】
１．ボールベアリング
２．ボールベアリングが移動する筒
３．ボールを打つ面
４．シャフト
５．クラブヘッド
【図１】
2006175222.tif 000003
(57)【要約】【課題】原因不明精神病治療装置の原理の証明と輪廻転生エネルギーのサイボーグへの移行を試みる。【解決手段】人体に輪廻転生している意識エネルギー（重力子かヘミシンク技術の体脱）を重力波の周波数かヘミシンク技術の体脱で誰のものか分析し人体から出しサイボーグに誘導し人間同様にしそのことが原因不明の精神病が完治する可能性もあり副作用の体重増加も減少する。【特許請求の範囲】
【請求項１】
（イ）各自人体に輪廻転生している意識エネルギー（重力子とみなすかヘミシンク技術等で入ったエネルギー）が入っているか重力波やヘミシンク技術で確かめる。
（ロ）それが入っていたら重力波の周波数か誰がヘミシンク技術で体脱しているかによって誰のものか現代人か未来か古代からの昔のものか分析する。
（ハ）重力波の周波数やヘミシンク技術の体脱でそこに入っている意識エネルギーをサイボーグに誘導し各人体から移し固定しサイボーグとして人間同様その意識エネルギーで動けるようにする。
（ニ）もしそれが入っていた場合それを人体の外に出すことで原因不明の精神病治療につながる可能性もあるしエネルギーは質量と同じものなので精神病患者の副作用である体重増加も減って肥満解消もありえる。
以上の如く論理で導かれる原因不明精神病治療装置兼輪廻転生エネルギーサイボーグ移行装置。
【発明の詳細な説明】
【技術分野】
【０００１】  本発明は、原因不明精神病治療装置と輪廻転生エネルギー移行に関する。
【背景技術】
【０００２】  従来、原因不明精神病は薬物療法でも完治せず民間療法で治ることの科学的証明はなく輪廻転生のエネルギーとは無関係と思われていた。
【発明の開示】
【発明が解決しようとする課題】
【０００３】  従来、原因不明精神病は薬物療法でも完治せず民間療法で治る科学的証明と輪廻転生の意識エネルギーとの因果関係を解決することを試みる。
【課題を解決するための手段】
【０００４】  各自人体に輪廻転生している意識エネルギー（重力子かヘミシンク技術の体脱エネルギー）を体外に出すあるいはサイボーグに移す。
【発明の効果】
【０００５】  原因不明の精神病を科学的に治し輪廻転生をサイボーグで実現する。
【発明を実施するための最良の形態】
【０００６】    以下、本発明の実施例について時系列的論理的に文章で説明する。各自人体に輪廻転生している意識エネルギー（重力子とみなすかヘミシンク技術等で入ったエネルギー）が入っているか重力波やヘミシンク技術で確かめる。それが入っていたら重力波の周波数か誰がヘミシンク技術で体脱しているかによって誰のものか現代人か未来か古代からの昔のものか分析する。重力波の周波数やヘミシンク技術の体脱でそこに入っている意識エネルギーをサイボーグに誘導し各人体から移し固定しサイボーグとして人間同様にその意識エネルギーで動けるようにする。もしそれが入っていた場合それを人体の外に出すことで原因不明の精神病治療につながる可能性もあるしエネルギーは質量と同じものなので精神病患者の副作用である体重増加も減って肥満解消もありえる。以上の如く論理で導かれる原因不明精神病治療装置兼輪廻転生エネルギーサイボーグ移行装置。
【実施例】
【０００７】    上記の如く実施される。
【産業上の利用可能性】
【０００８】    原因不明の精神病患者数は多くまた副作用もなく治す装置は科学的証明に裏打ちされておりさらに人体外に出るエネルギーをサイボーグに移行することで輪廻転生を実現により産業上の利用可能性は高いと解される。
(57)【要約】【課題】  複数の装置と人が共通の領域内で作業するようにし、その際、人的資源の有効利用を図るとともに、効率的に作業が行われるようにする。【解決手段】  三台の装置ａ、ｂ，ｃと、一人の人ｍが部品Ａ、Ｂ、Ｃに加工を施す際、第１工程では、部品Ａに対して人ｍが加工を行い、部品Ｂと部品Ｃに対して二台の装置ｂ、ｃが加工を行う。第２工程では、人ｍが部品Ｂを加工し、部品Ａ、部品Ｃに対して二台の装置ａ、ｃが加工を行う。次に、第３工程では、人ｍが部品Ｃを加工し、部品Ａ、部品Ｂに対して二台の装置ａ、ｂが加工を行う。このように各装置ｒに対する人ｍの介入のタイミングを重複させないことにより、作業遂行の効率化を図る。【選択図】      図２
2006053637.tif 000002
【特許請求の範囲】
【請求項１】
複数の装置が行う作業のうち、それぞれの装置が行う作業の少なくとも一部に人が介在するような作業システムであって、前記複数の装置に対して人が介在するタイミングを重複しないように設定し、複数の装置と一人の人間で同時に作業することを特徴とする装置と人との共同作業システム。
【発明の詳細な説明】
【技術分野】
【０００１】
本発明は、複数の装置と人が共同作業するようにし、その際、作業効率を最大に高めるための技術に関する。
【背景技術】
【０００２】
従来、複数のロボットが共通の領域内で同時に作業するような技術が知られており、このようなロボットに対する教示の時間の短縮を図り、ロボット作業の早期立上げを図る技術として、例えば、ロボット数に対応した複数の教示者がそれぞれの携帯操作盤を用い、共通の領域内のそれぞれのロボット近傍に位置するとともに、各ロボット間に安全柵等の安全防護装置を設けてロボット教示を行うようなロボットシステム（例えば、特許文献１参照。）が知られている。
【０００３】
【特許文献１】特開２００３−３４０７５６号公報
【発明の開示】
【発明が解決しようとする課題】
【０００４】
ところが、上記システムの場合、ロボットだけで作業しようとしているため、事前の教示が必要になるとともに、人が全く介在しないで作業すると、状況の変化やロボットの故障等に適切に対応できないことがあり、この際、人が一緒に作業することが望ましい。
一方、ロボットと人が共通の領域内で作業するには、なるべく人の数を減らして人的資源の有効利用を図る必要があり、また、作業が効率的に行われる必要性がある。
【０００５】
そこで本発明は、複数の装置と人が共通の領域内で作業するようにし、その際、人的資源の有効利用を図ると同時に、効率的に作業が行えるようにすることを目的とする。
【課題を解決するための手段】
【０００６】
上記目的を達成するため本発明は、複数の装置が行う作業のうち、それぞれの装置が行う作業の少なくとも一部に人が介在するような作業システムを構成し、この際、前記複数の装置に対して人が介在するタイミングを重複しないように設定し、複数の装置と一人の人間で同時に作業するようにした。
【０００７】
このように複数の装置に対して、人が介在するタイミングを重複しないように設定し、複数の装置と一人の人が同時に作業すれば、複数人を配置するような無駄を省くことができ、しかも作業全般を極めて効率的に遂行することができる。
この際、装置としては、移動式装置でも固定式装置でもよい。
【発明の効果】
【０００８】
複数の装置が行う作業のうち、それぞれの装置の作業の少なくとも一部に人が介在するような作業システムを構成し、一人の人間が、介在するタイミングを重複しないように設定して共同作業を行うことにより、作業全般を効率的に行うことができる。
【発明を実施するための最良の形態】
【０００９】
本発明の実施の形態について添付した図面に基づき説明する。
ここで図１は本発明に係る共同作業システムの一例を上から見た状態の説明図、図２は作業分担を時間軸で見た説明図、図３は共同作業システムの他の例を上から見た説明図である。
【００１０】
本発明に係る複数の装置と人との共同作業システムは、人の動きが装置の動きに制約されることなく、効率的に作業が行えるようなシステムとして構成され、以下、説明を簡単にするため、例えば部品Ａ、Ｂ、Ｃに対し、それぞれ三工程の加工を施し、このうち、二つの工程が固定装置ａ、ｂ、ｃによる加工で、一つの工程が人ｍによる加工の場合を例にとる。
【００１１】
この場合、図１、図２に示すように、加工ラインの部品Ａと部品Ｂと部品Ｃに対し、第１工程では、部品Ａに対して人ｍが加工を行い、その間、部品Ｂと部品Ｃに対して二台の装置ｂ、ｃが加工を行う。
次いで、第２工程では、人ｍが部品Ｂを加工し、その間、部品Ａ、部品Ｃに対して二台の装置ａ、ｃが加工を行う。（なお、図１はこの時の状態を図示している。）
そして、その後の第３工程では、人ｍが部品Ｃを加工し、その間、部品Ａ、部品Ｂに対して二台の装置ａ、ｃが加工を行う。
そして、本実施例では、この第１〜第３工程で各部品Ａ、Ｂ、Ｃとも加工が終了する。
【００１２】
このような要領により、少なくとも一部に人ｍの介在を必要とする装置ａ、ｂ、ｃとの共同作業において、各装置ｒへの人ｍの介入のタイミングが重複せず、無駄な時間が発生しないため、全般の作業が効率的に処理出来る。
【００１３】
ところで、上記の実施例では、加工ラインが直線である場合を示したが、図３に示すように人ｍを中心にして周囲を囲むように加工部を形成し、人ｍの移動距離を少なくするようにしても良い。勿論、この場合の各装置ａ、ｂ、ｃへの人ｍの介入タイミングも、図２の通りである。
【００１４】
また、上記の実施例では、部品Ａ、Ｂ、Ｃを加工する例を示し、人ｍの作業も加工であるようにしたが、いずれの場合も作業は加工に限られるものではない。また、装置ａ、ｂ、ｃは固定装置でなく移動装置でも良く、更に、装置数も任意である。
【産業上の利用可能性】
【００１５】
複数の装置と人が共同して作業するようにし、その際、人が介入するタイミングを重複しないようにすることで、無駄な時間がなくなり、全般の作業を効率良く行うことができる。
【図面の簡単な説明】
【００１６】
【図１】本発明に係る共同作業システムの一例を上から見た状態の説明図
【図２】作業分担を時間軸で見た説明図
【図３】共同作業システムの他の例を上から見た説明図
【符号の説明】
【００１７】
Ａ…部品、Ｂ…部品、Ｃ…部品、ａ…装置、ｂ…装置、ｃ…装置、ｍ…人。
【図１】
2006053637.tif 000003
【図２】
2006053637.tif 000004
【図３】
2006053637.tif 000005
(57)【要約】【課題】本発明はユニットの限られたスペースを有効に活用する光ファイバコードの余長収納を提供することを目的としている。【解決手段】本発明に係る光ファイバコード１の余長収納は、光ファイバコード１の余長を巻き取るためのワイヤサドル３を配置すると共に、通信機器収納用ラックの外に出線される光ファイバコード１を固定するため、コードクランプ４を設け、コードクランプ４は、隣り合う光ファイバコード１の余長束を同時に固定可能であるようにそれぞれ二つの固定部を有することを特徴とする。【選択図】図１
2006053359.tif 000002
【特許請求の範囲】
【請求項１】
通信機器収納用ラックに収められる光ファイバコードを収納するための光成端箱や光パッチユニットの光ファイバコード余長収納において、前記光ファイバコードの余長を巻き取るためのワイヤサドルを配置すると共に、前記通信機器収納用ラックの外に出線される前記光ファイバコードを固定するため、コードクランプを設け、該コードクランプは、隣り合う光ファイバコードの余長束を同時に固定可能であるようにそれぞれ二つの固定部を有することを特徴とする光ファイバコードの余長収納。
【請求項２】
前記光ファイバーコードの余長収納において、前記コードクランプは固定部を上方に引き上げて開閉するガルウイング形状を特徴とする光ファイバコードの余長収納。
【発明の詳細な説明】
【技術分野】
【０００１】
本発明は、通信機器収納用ラックに収められる光ファイバコードを収納するための光成端箱や光パッチユニットの光ファイバコード余長収納に関するものである。
【背景技術】
【０００２】
従来、光パッチユニット３１の内部にはワイヤサドル３２を整列させて設け、光ファイバーコード３３の余長は、折り曲がらないようにワイヤサドル３２に巻き付けて収納していた。また、光ファイバーコード３３の収納部分とは別の空きスペースに、コードクランプ３４を設け、光パッチユニット３１の外へ光ファイバコード３３を出線するときに出線孔の近傍にて光ファイバコードを固定する。
【非特許文献１】カワムララックカタログＮＯ．８  ２００３年７月１日発行
【発明の開示】
【発明が解決しようとする課題】
【０００３】
解決しようとする問題点は、光ファイバコードの余長が多い場合には複数箇所に分けて収納するため、収納スペースが広く必要であり、コードクランプを設置するスペースがユニット上にとりにくく、ユニットが大型化するという点である。また、光ファイバコードは折り曲げることができないので巻いた円内はスペースがあってもなにか設置することができず、省スペース化が困難であるという点である。
【課題を解決するための手段】
【０００４】
そこで本発明は、ユニットの限られたスペースを有効に活用することを目的とし、その構造は、光ファイバコードの余長を巻き取るためのワイヤサドルを配置すると共に、通信機器収納用ラックの外に出線される光ファイバコードを固定するため、コードクランプを設け、コードクランプは、隣り合う光ファイバコードの余長束を同時に固定可能であるようにそれぞれ二つの固定部を有することを特徴とする。
【０００５】
また、コードクランプは固定部を上方に引き上げて開閉するガルウイング形状を特徴とする。
【発明の効果】
【０００６】
本発明に係る光ファイバーコードの余長収納では、余長を束ねた円内の空きスペースにコードクランプを配置することで有効利用できる。また、光パッチユニットを大きくすること無く余長を収納でき、同時にコードクランプも設けることができる。限られた光パッチユニットを最大限に配線スペースとして用いることができる。
【発明を実施するための最良の形態】
【０００７】
光パッチユニットの限られたスペースを有効に利用するという目的を、最小の部品点数で、余長の収納作業が簡単に行えるようにした。
【実施例１】
【０００８】
本発明に係る光ファイバコードの余長収納を、図１の添付図面に基づいて説明する。
【０００９】
通信用光ファイバコード１は折り曲げることができないので、円状に巻き取って光パッチユニット２等に収納し、光パッチユニット２を通信機器収納用ラックに収める。光ファイバコード１の巻き取りは、光ファイバコード１を挿通支持可能であるワイヤサドル３で行う。光パッチユニット２上にワイヤサドル３を複数個配置し、ワイヤサドル３に光ファイバコード１を挿通し略円状に束ねて支持させる。ワイヤサドル３をできるだけ小さい径の円上に設置し、光ファイバコード１を最小の許容曲げ半径にて収納すると、より省スペースを図ることができる。
【００１０】
光ファイバコード１の余長が多い場合には束を複数に分け、それぞれの束をワイヤサドル３に支持させる。隣接する余長収納を間にコードクランプ４を設ける。コードクランプ４のコード支持部４ａは二分割されていて、それぞれの支持部４ａが光ファイバーコード１の余長で形成される円内に設け、それぞれの光ファイバコード１の束別に整線が可能である。
【００１１】
コードクランプ４で整線支持された光ファイバコード１は、光パッチユニットに設けられる入出線孔から外部へ引き出す。
【実施例２】
【００１２】
コードクランプ４のコード支持部４ａはガルウィング形状で、上部は持ち上げて光ファイバコード１の出し入れが簡単にできる。
【実施例３】
【００１３】
本発明に係る光ファイバコード１の余長収納は、上記光パッチユニットに限定されるものではなく、図２に示すように、余長収納用トレイに設置したばあには、配線トレイ５も小型化することができ、コードクランプ４も設置可能である。
【産業上の利用可能性】
【００１４】
本発明に係る光ファイバコードの余長収納は、ユニット上の限られたスペースを有効に活用するため、コードクランプを光ファイバコードを巻き取った円内に設置し、さらに隣接する光ファイバーコードの束をそれぞれ支持可能であるため、容易に整線ができる。
【図面の簡単な説明】
【００１５】
【図１】本発明に係る光ファイバケーブルの余長収納を示す光パッチユニットの配線図である。（実施例１、２）
【図２】本発明に係る光ファイバケーブルの余長収納を示す小型配線トレイの配線図である。（実施例３）
【図３】従来技術における光ファイバケーブルの余長収納を示す配線図である。
【符号の説明】
【００１６】
１    光ファイバコード
２    トレイ
３    ワイヤサドル
４    コードクランプ
４ａ  コード支持部
５    配線トレイ
【図１】
2006053359.tif 000003
【図２】
2006053359.tif 000004
【図３】
2006053359.tif 000005